(57)【要約】      （修正有）【課題】コンピュータにより実施される、体外診断分析器を較正するための方法を開示する。【解決手段】まず複数のキャリブレータレベルを測定し、それによって複数のそれぞれのキャリブレーションポイント１０、１１、１２を得ることを含む多点較正手順を実施する。次に多点較正手順の結果を計算し、計算結果２０に基づいて多点較正手順の不合格または合格を決定する選択３０を行う。多点較正手順が不合格の場合に、不合格が１つまたは複数の個々の不合格がキャリブレーションポイントに関連するかどうかを決定し、不合格キャリブレーションポイントに関するキャリブレータレベルのみの測定１０の繰り返し６０をトリガーし、不合格キャリブレーションポイントのみを、新しく得られたキャリブレーションポイントで置き換えた後に、２０’に戻り多点較正手順の結果を再計算することを含む。【選択図】図１
2019074515.tif 000002
【特許請求の範囲】
【請求項１】
コンピュータにより実施される、体外診断分析器を較正する方法であって、前記方法が、
複数のキャリブレータレベルを測定し（１０、１１、１２）、それによって複数のそれぞれのキャリブレーションポイント（１−ｎ）を得ることを含む多点較正手順（１００、１００’、１００’’、１００’’’）を実施すること、
前記多点較正手順（１００、１００’、１００’’、１００’’’）の結果を計算し（２０）、計算結果（２０）に基づいて前記多点較正手順（１００、１００’、１００’’、１００’’’）の不合格または合格を決定すること（３０）、
前記多点較正手順（１００、１００’、１００’’、１００’’’）が不合格の場合に、不合格が１つまたは複数の個々の不合格キャリブレーションポイント（１−ｎ）に関連するかどうかを決定し（４０）、肯定の場合（５０、５１）に、前記不合格キャリブレーションポイント（１、３、６）に関してのみキャリブレータレベルの測定（１０）の繰り返し（６０、６２、６６）をトリガーし、前記不合格キャリブレーションポイント（１、３、６）のみを新しく得られたキャリブレーションポイント（１、３、６）で置き換えた後に前記多点較正手順（１００、１００’、１００’’、１００’’’）の結果を再計算する（２０’）ことを含む、方法。
【請求項２】
前記多点較正手順（１００’）および／または前記キャリブレータレベルの測定（１０、１１、１２）の繰り返しが、各キャリブレーションポイント（１−ｎ）について１対の測定データ（１、１’、２、２’、ｎ、ｎ’、２２、２３）を得るために、各キャリブレーションポイント（１−ｎ）について、それぞれの前記キャリブレータレベルを２回測定すること（１０、１１、１２）を含む、請求項１記載の方法。
【請求項３】
不合格が１つまたは複数の個々の不合格キャリブレーションポイント（６）に関連するかどうかを決定すること（４０）が、各キャリブレーションポイント（１−６）または各キャリブレーションポイント（１−６）についての２回測定データ間の平均値の、適合多点キャリブレーション曲線（８０）からの偏差を比較することを含む、請求項１または２記載の方法。
【請求項４】
不合格が１つまたは複数の個々の不合格キャリブレーションポイント（３）に関連するかどうかを決定すること（４０）が、各キャリブレーションポイント（１−６）についての２回測定データをそれぞれ比較すること、およびそれらの値の差が所定の閾値を超えるかどうかを決定することを含む、請求項２または３記載の方法。
【請求項５】
不合格が１つまたは複数の個々の不合格キャリブレーションポイントに関連するかどうかを決定すること（４０）が、各キャリブレーションポイント（１−ｎ）についての２回測定データにそれぞれ関連する反応曲線（９０、９０’）を比較すること、および前記反応曲線が互いに実質的に異なっているかどうかを決定することを含む、請求項２〜４のいずれか１項に記載の方法。
【請求項６】
不合格が１つまたは複数の個々の不合格キャリブレーションポイント（１−ｎ）に関連するかどうかを決定すること（４０）が、前記不合格キャリブレーションポイント（１−ｎ）の不合格に関連し得る前記体外診断分析器の１つまたは複数の所定の操作パラメータ（１−ｎ）を評価することを含む、請求項１〜５のいずれか１項に記載の方法。
【請求項７】
前記方法が、各キャリブレーションポイント（１−ｎ）についての２回測定のそれぞれの実施に関連する前記１つまたは複数の所定の操作パラメータ（１−ｎ）を比較することを含む、請求項６記載の方法。
【請求項８】
前記不合格キャリブレーションポイント（１）のためのみの前記キャリブレータレベルの測定（１０）の繰り返し（６２）をトリガーすることが、繰り返されるべき、不合格の可能性のあるキャリブレーションポイントを表示すること（５１）、および表示されたキャリブレーションポイント（１）のユーザの確認を要求すること（６１）を含む、請求項１〜７のいずれか１項に記載の方法。
【請求項９】
前記多点較正手順（１００’’’）の不合格が、１つまたは複数の個々の不合格キャリブレーションポイント（１−ｎ）に関連することを自動的に決定することができない場合（５２）、前記方法は、前記不合格キャリブレーションポイント（１）のユーザの選択を要求すること（６５）、選択されたキャリブレーションポイント（１）に関してのみ前記キャリブレータレベルの測定（１０）の繰り返し（６６）をトリガーすること、および前記選択されたキャリブレーションポイント（１）のみを新しく得られたキャリブレーションポイント（１）で置き換えた後に前記多点較正手順（１００’’’）の結果を再計算すること（２０’）をさらに含む、請求項１〜８のいずれか１項に記載の方法。
【請求項１０】
ユーザの確認（６３）またはユーザの選択（６７）のためのタイムリミットを設定すること、および前記タイムリミット（６３、６７）を超えた場合、前記多点較正手順（１００’’’）の全体の繰り返し（６４、６８）をトリガーすることをさらに含む請求項８または９記載の方法。
【請求項１１】
前記不合格キャリブレーションポイント（１）のためのみの前記キャリブレータレベルの測定（１０）の繰り返し（６０）が、後のユーザ検証を可能にするために、自動的にトリガーされる場合、前記多点較正手順（１００）の再計算された較正結果（２０’）にフラグを立てること（７１）をさらに含む請求項１〜１０のいずれか１項に記載の方法。
【請求項１２】
前記多点較正手順（１００、１００’、１００’’、１００’’’）の計算結果（２０）、および／または前記不合格キャリブレーションポイント（１）のみを置き換えた後の、前記多点較正手順（１００、１００’、１００’’、１００’’’）の再計算結果（２０’）を表示すること、ならびに２つの結果（２０、２０’）を任意に直接比較することをさらに含む請求項１〜１１のいずれか１項に記載の方法。
【請求項１３】
表示することが、各キャリブレーションポイント（１−６）についての２回測定データ（２２、２３）をリスト化および／またはプロットすることを含む、請求項１２記載の方法。
【請求項１４】
表示することが、不合格の、もしくは不合格の可能性のあるキャリブレーションポイント（１）、および／または繰り返されたキャリブレーションポイント（１）を表示すること（５０）を含む、請求項１２または１３記載の方法。
【請求項１５】
表示することが、不合格キャリブレーションポイント（１）を選択および／または確認するための選択領域（６１’、６２’）を表示することを含む、請求項１２〜１４のいずれか１項に記載の方法。
【発明の詳細な説明】
【技術分野】
【０００１】
本開示は、コンピュータにより実施される、体外診断分析器を較正するための方法に関する。
【背景技術】
【０００２】
医学では、医者の診断および患者の処置は、しばしば患者のサンプルにおける検体の濃度またはその他のパラメータの測定に依存している。この測定は、一般的にはある種のサンプルを分析し、各種の検出技術を用いてある種の検体を検出するように構成され得る体外診断分析器によって行われる。患者の生命は、かかる測定の精度および信頼性に依存しているので、計器は正しく実行されることが重要である。
【０００３】
体外診断分析器は、それらが正しく作動することを確認するために、一連の品質管理（ＱＣ）手順を実行することが一般的な要件である。
【０００４】
これらの手順の１つが較正である。ほとんどの場合、既知の濃度を有する標準溶液を用いて実行される。このような方法において、測定された信号を量的な結果に関連付けることが可能である。較正は、システムおよび性能に影響する可能性のあるその他の変動要因に応じて、多かれ少なかれ頻繁に実行されるべきである。
【０００５】
ときどき、較正中にエラーが起こる可能性があり、較正不合格が報告される。ほとんどの場合、不合格の原因が何かは不明である。ほとんどの場合、不合格の原因は、偶然誤差によるもので、たとえば、ピペット操作のエラーによる気泡、よごれ、汚染の存在などの測定中の干渉によるものである。
【０００６】
結果として、不合格の原因が何であるのかを調べるよりも、次回は不合格が報告されないという希望を持って、較正手順が通常通り繰り返される。
【０００７】
体外診断分析器のランニングコストと同様に有効な処理能力および使用性能は、相当な時間が較正手順の実行および繰り返しに向けられなければならないという事実に影響され得る。このことは、任意の順序で、異なるサンプルを処理し、異なる検体に対してテストするように構成される体外診断分析器にも当てはまり、体外診断分析器では、サンプルの種類および／または対象となる検体に応じて異なる試薬が使用され、このことは、異なるサンプル／検体／試薬の組み合わせに対する異なる較正手順が、かなりの頻度で要求されることを意味する。さらに、同じ較正手順に対して要求されるキャリブレータレベルの数が増えるにつれて、較正手順を実施する時間およびコストが増える。
【発明の概要】
【０００８】
コンピュータにより実施される、体外診断分析器を較正するための方法が本明細書中に提供され、この方法によれば、較正手順に費やされる時間を最小にし、較正を失敗することによる日常の操作の遅れを最小にし、キャリブレータの使用を最小にし、それによってコストも節約し、しばしば高額な材料の浪費を防ぐことが可能になる。
【０００９】
この方法の別の利点は、系統誤差（systematic error）と偶然誤差（random error）の区別を可能にし、いくつかのケースでは、不合格となった較正手順の原因を決定することが可能になることである。
【００１０】
いくつかのケースでは、この方法の別の利点は、トラブルシューティングを容易にし、メンテナンスおよびサービスの費用を減らし、不具合処理を早め、さらなる計器の停止時間を最小にすることが可能になることである。
【００１１】
体外診断分析器を較正するための方法は、複数のキャリブレータレベルを測定して、それによって複数のそれぞれのキャリブレーションポイントを得ることを含む多点較正手順を実施すること、多点較正手順の結果を計算すること、計算結果に基づいて多点較正手順の不合格または合格を決定することを含む。多点較正手順が不合格の場合に、方法は、不合格が１つまたは複数の個々の不合格キャリブレーションポイントに関連するかどうかを決定し、肯定の場合に、不合格キャリブレーションポイントに関してのみキャリブレータレベルの測定の繰り返しをトリガーし、不合格キャリブレーションポイントのみを新しく得られたキャリブレーションポイントで置き換えた後に多点較正手順の結果を再計算することを含む。
【００１２】
「体外診断分析器」は、体外診断用のサンプルの分析に専用の検査室用の自動装置である。体外診断分析器は、必要に応じておよび／または所望の実験室ワークフローに応じて異なる構成を有していてもよい。追加の構成が、複数の装置および／またはモジュールを共に結合することにより得られてもよい。「モジュール」は、一般的には専用の機能を有する、全臨床診断システムよりもサイズが小さい作業セルである。この機能は、分析的であり得るが、事前分析的もしくは事後分析的でもあり得るか、または、任意の事前分析機能、分析機能もしくは事後分析機能に対する補助機能であり得る。特には、モジュールは、たとえば、１つまたは複数の事前分析的および／または分析的および／または事後分析的工程を実行することによって、サンプル処理ワークフローの専用のタスクを行うための１つまたは複数のその他のモジュールと協働するように構成され得る。このように、体外診断分析器は、１つの分析装置または任意のかかる分析装置とそれぞれのワークフローとの組み合わせを備え、事前分析的および／または事後分析的モジュールは個々の分析装置と接続されてもよく、または複数の分析装置によって共有されてもよい。代わりに、事前分析的および／または事後分析的機能が、分析装置に一体化されたユニットによって実行されてもよい。体外診断分析器は、サンプルおよび／または試薬および／またはシステム流体のピペット操作および／またはポンプ操作および／または混合のための液体ハンドリングユニットなどの機能ユニットを備えることができ、分類、保管、輸送、識別、分離、検知のための機能ユニットを備えることができる。体外診断分析器の例としては、臨床化学分析器、免疫化学分析器、凝固分析器、血液分析器、分子診断分析器があげられるが、これらに限られるものではない。
【００１３】
用語「サンプル」は、対象となる１つまたは複数の検体を含むと考えられ、その量および／または質の検知が臨床状態に関連付けられる生物学的な物質をいう。サンプルは、血液、唾液、接眼レンズ液、脳脊椎液、汗、尿、乳、腹水液、粘液、滑液、腹膜液、羊水、組織、細胞などを含む生理学的流体などの生理学的起源に由来し得る。サンプルは、血液からの血漿の精製、粘性流体の希釈、溶解など、使用前に前処理をすることができ、処理方法としては、濾過、遠心分離、蒸留、濃縮、干渉成分の不活性化および試薬の添加を含み得る。サンプルは、いくつかのケースでは、起源から得られたままで直接使用されてもよく、またはたとえば、１つまたは複数の体外診断テストを可能にし、対象の検体を富化（抽出／分離／濃縮）し、および／または対象の検体の検知を干渉する可能性のあるマトリックス成分を取り除くために、たとえば、内標準を追加した後、または他の溶液で希釈後、または試薬と混合した後でなど、サンプルの性質を変更するための前処理および／またはサンプル調製ワークフローに続いて使用されてもよい。
【００１４】
「キャリブレータ」は、較正に用いられる既知の数値の１つまたは複数の較正材料を含み、一般的には試薬の使用を含む、サンプルと同じ条件で測定されるキャリブレーション溶液である。キャリブレータは、ゼロ濃度、すなわちブランク溶液を含む較正材料の異なる濃度範囲に対応する異なるレベルで提供され得る。一般的には、同じキャリブレータの１つまたは２つのレベルが、検体濃度に対して線形応答する場合に、１ポイントまたは２ポイント較正のそれぞれのために使用される。３つ以上のキャリブレータレベル、たとえば、５つ、６つまたはそれ以上のレベルが、キャリブレーション曲線が非直線の場合に使用されてもよい。
【００１５】
「較正材料」は、濃度が既知の、対象の検体と同じ検体であり得るか、または反応もしくは誘導体化により、たとえば断片化によって、濃度が既知の、対象の検体と同じ検体を生成する検体であり得るか、または対象の検体とよく似た、もしくはそうでなければ対象のある種の検体と関連付けられる、濃度が既知の他の同等の物質であり得る。
【００１６】
「試薬」は、反応が起こることを可能にするか、またはサンプルもしくはキャリブレータに含まれたサンプルキャリブレータもしくは検体の物理的パラメータの検出を可能にするために、たとえば、分析のためのサンプルまたは測定のためのキャリブレータを調製するために、サンプルまたはキャリブレータの処理のために使用される物質である。特には、試薬は、反応物、一般的には、たとえば、１つまたは複数の検体または望まれないマトリックス成分に結合し得るか、またはそれらを化学的に変形させることができる化合物または試剤であるか、それらを含む物質であり得る。反応物の例としては、酵素、酵素基質、共役染料、タンパク結合分子、リガンド、核酸結合分子、抗体、キレート剤、促進剤、抑制剤、エピトープ、抗原などが挙げられる。しかしながら、試薬という用語は、希釈液、水もしくはその他の溶媒もしくはバッファ溶液を含む、サンプルもしくはキャリブレータに添加され得る任意の流体、または検体のタンパク質、結合タンパク質もしくは表面への特異的または非特異的な結合を分裂させるために用いる物質を含むように使用される。
【００１７】
サンプルは、たとえば、一次管および二次管を含むサンプル管、もしくはマルチウェルプレートなどのサンプルコンテナ、または任意のその他の開放もしくは密閉型のサンプル搬送支持体に提供される。試薬は、たとえば、個々の試薬または試薬のグループを含むコンテナまたはカセットの形態で配置されるか、また保管区画またはコンベヤ内の適当な受け器または位置に置かれてもよい。その他の種類の試薬またはシステム流体がバルクコンテナに、または供給ラインを経由して提供されてもよい。
【００１８】
「較正手順」は、同じワークフローおよび最終的には同じ（１つまたは複数の）試薬の使用を含む、測定サンプルの同じ条件下で、キャリブレータ中に存在するキャリブレーション材料の既知の値を測定することにより、測定されたサンプル信号をサンプル中の検体の濃度の定量結果に関連付けすることを可能にするプロセスである。特定のサンプル、対象となる特定の（１つまたは複数の）検体、特定のワークフローおよび測定条件に応じて変化する可能性のある、信号の種類、および特には異なる濃度における信号の直線性または非直線性に応じて、較正手順は、分析器の検出範囲内（ダイナミックレンジ）および／またはサンプル中に発見され得る検体の代表的な濃度範囲内に入るキャリブレーション材料の異なる濃度範囲に対応するキャリブレータの１つまたは複数のレベルを測定することを含み得る。１つのキャリブレータレベルのみを測定する場合、較正手順は、１点較正手順である。キャリブレータの２つのレベルを測定する場合、較正手順は、２点較正手順などである。「多点較正手順」は、複数のキャリブレータレベル、すなわち少なくとも２つおよび一般的には３つまたはそれ以上のキャリブレータレベルを測定すること、および特には複数のキャリブレーションポイントの各々のキャリブレータレベルを測定し、それによって複数のそれぞれのキャリブレーションポイントを得ることを含む較正手順である。
【００１９】
特定のサンプル、対象である特定の（１つまたは複数の）検体、サンプル／（１つまたは複数の）試薬の組合せおよび条件測定を含む、特定のワークフローに応じて、異なる較正手順を実行する必要があってもよく、その各々が、異なる１つまたは複数のキャリブレータ、ならびに最終的にはキャリブレータの異なるレベルおよび／または異なる数のレベルを含む可能性がある。
【００２０】
「多点較正手順の結果を計算すること」は、測定されたキャリブレーションポイントに最も適合する曲線、または数学的関数を構築するプロセスであって、測定されたキャリブレーションポイントの変化またはバラツキの量（標準偏差）を計算することにより、プロセスにおいて発生する未知の誤差および／または偶然誤差による測定誤差のために、構築された曲線にどれだけの不確実性が存在するかなどの統計的推測を考慮に入れる回帰分析を含むプロセスである。プロセスは、同条件下で、構築された曲線を基準曲線または以前に構築された曲線と比較すること、および／または個々のキャリブレーションポイントを基準値または以前に測定された値と比較することを含んでいてもよい。
【００２１】
計算結果に基づいた多点較正手順の「不合格または合格を決定すること」は、測定誤差を定量化し、誤差が分析器の仕様に従って要求される閾値よりも小さいかどうかを決定するプロセスである。特には、多点較正手順の不合格は、誤差が要求される閾値よりも大きい場合に決定され、一方で、多点較正手順の合格または解除は、誤差が要求される閾値よりも小さい場合に決定される。
【００２２】
多点較正手順の不合格の場合、本開示の方法は、個々のキャリブレーションポイントの各々の測定誤差を定量化することによって、不合格が１つまたは複数の個々の不合格キャリブレーションポイントに関連するかどうかを決定することを含む。不合格が１つまたは複数の個々の不合格キャリブレーションポイントに関連すると決定された場合、方法は、（１つまたは複数の）不合格キャリブレーションポイントのみに対応するキャリブレータレベルの測定の繰り返し、すなわち測定を繰り返すことをトリガーすること、および、すべての他の不合格ではないか、または合格した（解除された）キャリブレーションポイントを保持しながら、（１つまたは複数の）不合格キャリブレーションポイントのみを新しく得られた（１つまたは複数の）キャリブレーションポイントで置き換えた後、多点較正手順の結果を再計算することを含む。
【００２３】
用語「トリガー」または「トリガーする」は、本明細書中においては、体外診断分析器によって自動的に開始され実行される自動手順、または体外診断分析器によって生成され、ユーザに手動で介在するように促す警報のいずれか、または両者の組合せとしての半自動の手順を意図するものとして使用される。
【００２４】
一実施形態によれば、多点較正手順および／または（１つまたは複数の）不合格キャリブレーションポイントに対するキャリブレータレベルの測定の繰り返しは、各キャリブレーションポイントのために１対の測定データ（生の結果データ）を得るために、各キャリブレーションポイントのそれぞれのキャリブレータレベルを２回測定することを含む。
【００２５】
一実施形態によれば、不合格が１つまたは複数の個々の不合格キャリブレーションポイントに関連するかどうかを決定することは、各キャリブレーションポイントまたは各キャリブレーションポイントの２回測定データの間の平均値のそれぞれの、適合多点キャリブレーション曲線からの偏差を比較することを含む。
【００２６】
一実施形態によれば、不合格が１つまたは複数の個々の不合格キャリブレーションポイントに関連するかどうかを決定することは、各キャリブレーションポイントの２回測定データをそれぞれ比較し、それらの数値の差が所定の閾値を超えるかどうかを決定することを含む。たとえば、２回測定データの間の差が実在するが、平均値は依然として、不合格となるキャリブレーションの閾値により画定された許容範囲内にあることが起こり得る。偶然誤差の場合に、２回測定データがお互いに実質的に相違する可能性が高いので、各対内の２回測定データを比較することにより、誤差が発生したかどうかを決定することができる。
【００２７】
一実施形態によれば、不合格が１つまたは複数の個々の不合格キャリブレーションポイントに関連するかどうかを決定することは、各キャリブレーションポイントの２回測定データにそれぞれ関連する反応曲線を比較すること、および反応曲線が互いに実質的に異なっているかどうかを測定することを含む。特には、サンプル測定は、いくつかの場合、たとえば、凝固分析において、たとえば、検体濃度またはサンプルの特徴を示す反応時間またはその他の変動パラメータを測定するために、反応曲線をモニタリングすることを含む。反応曲線の異常形状は、ワークフローにおいてまたは測定中に起こる誤差、たとえば、空気、破片、ダストなどの、光路中の干渉物の存在などを示し得る。各キャリブレーションポイントの２回測定の反応曲線をそれぞれ比較することにより、誤差が発生したかどうかを決定することができる。というのは、偶然誤差の場合には、２つの測定データのうちの１つにおいてのみに誤差が発生する可能性が高いからである。
【００２８】
一実施形態によれば、不合格が１つまたは複数の個々の不合格キャリブレーションポイントに関連するかどうかを決定することは、（１つまたは複数の）不合格キャリブレーションポイントの不合格に関連し得る体外診断分析器の１つまたは複数の所定の操作パラメータを評価することを含む。
【００２９】
一実施形態によれば、方法は、各キャリブレーションポイントそれぞれの２回測定の実施に関係する１つまたは複数の所定の操作パラメータを比較することを含む。
【００３０】
「操作パラメータ」とは、体外診断分析器の操作中、および特には、多点較正手順の実行中に検出され、および定量化され得る、電流、電圧、電気抵抗、静電容量、磁場、時間、距離、サイズ、形状、面積、容積、高さ、速度、位置、温度、圧力、粘度、ｐＨ、表面特性、化学的および／または生物学的特性、機械的抵抗、光度、波長、周波数、ノイズなどであって、これらに限定されない、測定可能な性質、または任意の種類の区別できる、物理的および／または化学的な信号を含む生データから導き出され得る性質である。「ソースデータ」と呼ばれることもある「生データ」という用語は、使用のために処理されなかったデータではあるが、選択的な抽出、組織化、および時には、プレゼンテーションのための分析およびフォーマット化により、情報となる可能性を有するデータである。一旦処理されると、データは、操作パラメータとなり得る。特には、監視される場合、一般的には、体外診断分析器の、特には、たとえば（１つまたは複数の）ピペット操作ユニット、検出ユニットなどの、キャリブレーション手順の実行に係る任意の機能性（操作）ユニットを示し得る１つまたは一式の操作パラメータを選択することができる。
【００３１】
（１つまたは複数の）操作パラメータの「監視」は、特定のパラメータおよび実際の操作状況によって、連続的、または間隔をおいて実行されてもよく、また、同時に、または異なる、または重なる時間で実行されてもよい。特には、一式の操作パラメータのうちの全ての操作パラメータが同時におよび任意の所定の時間で監視される必要があるわけではない。たとえば、いくつかの操作パラメータの監視が、いくつかの機能性ユニットが作用している時にのみ生じてもよい。特には、少なくともいくつかの操作パラメータの監視が、特定の実際の操作状況において、一時停止されて、再開され、または単に無視されてもよい。
【００３２】
用語「性能状態（performance status）」は、製造者によって指定された、意図される目的を達成し、分析性能を確実にするための、体外診断分析器の能力、すなわち、対象の検体を正しく検出し、および／または測定する能力をいう。このように、一式の操作パラメータに関する「性能状態を示す」という用語は、体外診断分析器が仕様に従って実行しているか、もしくは実行していないかを決定するか、または少なくとも決定する（示す）ことに寄与することを意味する。
【００３３】
したがって、多点較正手順に関連して体外診断分析器の１つまたは複数の所定の操作パラメータを評価することは、多点較正手順の実行中に、および特には各キャリブレーションポイントに関するキャリブレータレベルの測定中、または同じキャリブレーションポイントの２回測定中に、（１つまたは複数の）所定の操作パラメータが仕様から外れているかどうかをチェックすることを含む。
【００３４】
各キャリブレーションポイントの２回測定を実行し、それぞれの２回測定の実行に関する１つまたは複数の所定の操作パラメータを比較することにより、不合格が、キャリブレータの取り扱いにおける偶然誤差によるものか、または体外診断分析器の系統誤差によるものかを決定するのに役立ち得る。一例を挙げると、操作パラメータが温度である場合、サンプルと同様に一定量のキャリブレータを吸引時に所定の温度にまで暖めることになっているピペット操作ノズルの温度センサが、所定の温度に到達していないことを示すことが可能である。系統誤差が繰り返し起こる１つの可能性のある理由は、ノズルヒータまたは温度センサが損傷しているからである可能性がある。偶然誤差が１回のみ、または数回起こる１つの可能性のある理由は、キャリブレータが直近に冷凍機から取り出され、したがって、利用可能な時間内で所定の温度に達するには依然として冷たすぎるからである。同じキャリブレーションポイントのための２回目の測定が行われるときまでに、キャリブレータの温度は、その間に上がってしまっている可能性がある。
【００３５】
「実質的に異なる」または「実質的な差違」という用語は、本明細書において、所定の許容範囲、すなわち、標準偏差（ＳＤ）の２倍または３倍を超える範囲の外にある、基準値、量、尺度、形状からの任意の偏差を含むように使用される。
【００３６】
一実施形態によれば、（１つまたは複数の）不合格キャリブレーションポイントに関してのみキャリブレータレベルの測定の繰り返しをトリガーすることが、繰り返されるべき、不合格となった可能性のある（１つまたは複数の）キャリブレーションポイントを表示し、表示された（１つまたは複数の）キャリブレーションポイントのユーザの確認を要求することを含む。
【００３７】
一実施形態によれば、多点較正手順の不合格が、１つまたは複数の個々の不合格キャリブレーションポイントに関連することが自動的に決定することができない場合、方法は、（１つまたは複数の）不合格キャリブレーションポイントのユーザの選択を要求すること、選択された（１つまたは複数の）キャリブレーションポイントに関してのみキャリブレータレベルの測定の繰り返しをトリガーすること、および選択された（１つまたは複数の）キャリブレーションポイントのみを新しく得られたキャリブレーションポイントで置き換えた後に多点較正手順の結果を再計算することをさらに含む。
【００３８】
一実施形態によれば、方法は、ユーザの確認またはユーザの選択のためにタイムリミットを設定すること、タイムリミットを超えた場合、全多点較正手順の繰り返しをトリガーすることをさらに含む。特には、タイムリミットは、定期的に予定された２つの多点較正手順間の時間間隔、または多点較正手順において、少なくとも１つのキャリブレーションポイントが合格した時点から計測してもよい、較正手順の所定の満了時間を超えてはいけない。このように、ユーザが個々のキャリブレーションポイントのみを繰り返すことにより故意に部分的な較正手順のみを実行することを防止することができる。
【００３９】
一実施形態によれば、方法は、（１つまたは複数の）不合格キャリブレーションポイントのためのみのキャリブレータレベルの測定の繰り返しが、後のユーザ検証を可能にするために、自動的にトリガーされる場合、多点較正手順の再計算された較正結果にフラグを立てることをさらに含む。
【００４０】
方法は、１つを超える、または２つを超える、または５０％を超えるキャリブレーションポイントが不合格である場合、全多点較正手順を繰り返すことを含む。
【００４１】
一実施形態によれば、方法は、多点較正手順の計算結果、および／または、（１つまたは複数の）不合格キャリブレーションポイントのみを置き換えた後の多点較正手順の再計算結果を表示することを含み、表示することは、キャリブレーションポイントおよび／もしくはキャリブレーション曲線をプロットすること、ならびに／または各キャリブレーションポイントについての測定データを、たとえば、テーブル表示方式でリスト化することを含む。方法は、たとえば、（１つまたは複数の）不合格キャリブレーションポイントの置き換えの前後で、最初の計算結果および再計算結果を同じスクリーン上で重ねるか、もしくは表示することにより、または表示を交替することにより、２つの結果を直接比較することをさらに含む。
【００４２】
表示することは、各キャリブレーションポイントについての２回測定データをプロットすること、および／またはリスト化することを含んでもよい。
【００４３】
表示することは、不合格の、または不合格の可能性のある（１つまたは複数の）キャリブレーションポイント、および／または繰り返されたキャリブレーションポイントを表示することを含んでもよい。
【００４４】
表示することは、（１つまたは複数の）不合格キャリブレーションポイントを選択および／または確認するための選択領域を表示することを含んでもよい。ユーザは、たとえば、プロットされたキャリブレーションポイントおよび／または２回測定データを見ることにより不合格キャリブレーションポイントを確認または認識することができ、プロットされた（１つまたは複数の）キャリブレーションポイント上の、またはリストテーブル中の表示を直接クリックするか、またはタッチすることにより、繰り返されるべき任意のキャリブレーションポイントを選択することができる。また、選択された（１つまたは複数の）キャリブレーションポイントについて、選択を確認し、および繰り返しを開始するために、特定の表示ボタンが提供されてもよい。
【００４５】
体外診断分析器は、制御器を備えるか、または制御器に接続されてもよい。「制御器」という用語は、任意の物理的または仮想処理デバイス、および特には、操作計画に従って操作を実行するための、特には多点較正手順の実行および不合格キャリブレーションポイントの繰り返しに関連する命令が提供される、コンピュータで読み取り可能なプログラムを動作するプログラム可能論理コンピュータを含む。制御器は、体外診断分析器の一部であってもよく、または体外診断分析器と通信する、分離した論理要素であってもよい。いくつかの実施形態では、制御器は、データ管理ユニットと一体であってもよく、サーバーコンピュータによって備えられていてもよく、および／または複数の体外診断分析器に亘って分配されてもよい。制御器は、また、（１つまたは複数の）ワークフローおよび（１つまたは複数の）ワークフロー工程が体外診断分析器によって行われる方法で体外診断分析器を制御するように構成可能であってもよい。特には、制御器は、多点較正手順および／または（１つもしくは複数の）不合格キャリブレーションポイントの繰り返しをいつ実行するかを計画するために、入力される分析指令および／または受け取る分析指令、ならびに分析指令の実行に関連する、多くの予定された処理操作を考慮するため、スケジューラおよび／またはデータマネージャと通信および／または協働してもよい。
【００４６】
このように、また、本開示は、多点較正手順を実行するように構成された制御器を備える体外診断分析器に関し、多点較正手順は、複数のキャリブレータレベルを測定し、それにより複数のそれぞれのキャリブレーションポイントを得ること、多点較正手順の結果を計算すること、および計算結果に基づいて、多点較正手順の不合格または合格を決定することを含む。多点較正手順が不合格の場合、制御器は、さらに、不合格が１つまたは複数の個々の不合格キャリブレーションポイントに関連するかどうかを決定し、肯定の場合に、（１つまたは複数の）不合格キャリブレーションポイントに関してのみキャリブレータレベルの測定の繰り返しをトリガーし、（１つまたは複数の）不合格キャリブレーションポイントのみを新しく得られたキャリブレーションポイントで置き換えた後に多点較正手順の結果を再計算するように構成される。
【００４７】
制御器は、さらに、上記の実施形態のいずれかに係る方法の工程のいずれかを実行するように構成されてもよい。
【００４８】
制御器は、多点較正手順の不合格および／またはキャリブレーションポイントの不合格が決定されるときに保守手順もトリガーするように構成されてもよい。
【００４９】
「保守手順」は、操作パラメータが仕様範囲外である原因である技術的な問題の根本原因を調べること、および／もしくは系統誤差の原因である、同定された技術的な問題を解決することが意図された手順、ならびに／または技術的な問題が起こることを防ぐことが意図された予防処置である。保守手順は、チェック、調整、修正、清掃、修理、取り換え、などの動作を含んでいてもよい。
【００５０】
「仕様に従って」または「仕様の範囲内」という用語は、測定可能な値を有し、製造者によって特定された範囲または閾値をいうものであって、医療診断システムがその意図された目的を達成し、および診断性能を確実にするために、操作パラメータが、その範囲内、またはそれより低いかまたは高くなるようになっている。これは、また、操作パラメータが仕様範囲外であるが、依然として許容されると考えられる許容範囲を含み得る。仕様範囲または閾値および最終的な許容範囲は、異なる操作パラメータに対して異なっていてもよく、また、測定ユニットが異なっていてもよい。
【００５１】
「仕様範囲外」という用語は、「仕様範囲内」という用語の反対の意味を有する。
【００５２】
制御器は、さらに、多点較正手順が合格するまで、分析命令を受取っているが、まだ処理が始まっていない、順番待ちのサンプルが、体外診断分析器に入ることおよび／またはサンプル分析ワークフローを開始することを防止するように構成されてもよい。
【００５３】
このように、サンプルおよび試薬を含む消耗品の不必要な消費を防止することができ、間違った結果の発生を防止することができ、較正の失敗によるルーチン操作の遅れを軽減することができ、システムまたはシステムモジュールの損傷を防止することができ、および操作の安全性を向上させることができる。
【００５４】
本開示は、また、多点較正手順の計算結果および／または（１つもしくは複数の）不合格キャリブレーションポイントのみを置き換えた後の多点較正手順の再計算結果を表示するように、および任意に２つの結果を直接比較するように構成されたユーザインタフェースにも関する。
【００５５】
一実施形態によれば、ユーザインタフェースは、さらに、各キャリブレーションポイントについての２回測定データをリスト化するか、および／またはプロットするように構成される。
【００５６】
一実施形態によれば、ユーザインタフェースは、さらに、不合格の、または不合格の可能性のある（１つもしくは複数の）キャリブレーションポイント、および／または繰り返されたキャリブレーションポイントを表示するように構成される。
【００５７】
一実施形態によれば、ユーザインタフェースは、さらに、（１つまたは複数の）不合格キャリブレーションポイントを選択および／または確認するための選択領域を表示するように構成される。その他の、およびさらなる目的、特徴および利点が、原理をより詳細に説明するために用いられる、例示的な実施形態および添付図面の、以下の記載から明らかになろう。
【図面の簡単な説明】
【００５８】
【図１】体外診断分析器を較正するための方法を表わすフローチャートである。
【図２】図１の方法の変形例である。
【図３】較正手順において不合格をどのように決定することができるかを示す例である。
【図４】較正手順において不合格をどのように決定することができるかを示す別の例である。
【図５】較正手順において不合格をどのように決定することができるかを示す別の例である。
【図６】較正手順において不合格をどのように決定することができるかを示す別の例である。
【図７】較正手順において不合格をどのように決定することができるかを示す別の例である。
【図８】図１の方法の別の変形例である。
【図９】図１の方法の別の変形例である。
【図１０】図１の方法の別の変形例である。
【図１１】較正手順の計算結果を表示することを含むユーザインタフェースの例である。
【図１２】図１１の例の続きである。
【発明を実施するための形態】
【００５９】
図１は、体外診断分析器の較正方法を示す。方法は、複数のキャリブレータレベルを測定し（１０、１１、１２）、それによって複数のそれぞれのキャリブレーションポイント１−ｎを得ることを含む多点較正手順１００を実施すること、多点較正手順１００の結果を計算すること（２０）、および計算結果２０に基づいて多点較正手順１００の不合格または合格を決定すること（３０）を含む。多点較正手順１００が不合格の場合に、方法は、不合格が１つまたは複数の個々の不合格キャリブレーションポイント１−ｎに関連するかどうかを決定すること（４０）、および肯定の場合（５０）、（１つまたは複数の）不合格キャリブレーションポイント１のみに関するキャリブレータレベルの測定（１０）の繰り返し（６０）をトリガーし、不合格キャリブレーションポイント１のみを新しく得られたキャリブレーションポイント１で置き換えた後に多点較正手順１００の結果を再計算すること（２０’）を含む。（１つまたは複数の）不合格キャリブレーションポイント１のみの手順の繰り返し（６０）は、不合格キャリブレーションポイント１に関するキャリブレータレベルの測定（１０）の繰り返しを含む。多点較正手順１００が合格の場合に、手順は終了する（７０）。キャリブレーションポイント１の不合格が例として示される。その他の任意のキャリブレーションポイント２−ｎのその他の例を推測することは容易である。
【００６０】
図２は、図１の多点較正手順１００の変形例である多点較正手順１００’である。図２の多点較正手順１００’と図１の多点較正手順１００との違いは、方法が、各キャリブレーションポイント１−ｎに対して１対の測定データ１、１’、２、２’−ｎ、ｎ’を得るために、各キャリブレーションポイント１−ｎについてそれぞれのキャリブレータレベルを２回測定すること（１０、１１、１２）を含むことである。（１つまたは複数の）不合格キャリブレーションポイント１について手順を繰り返す（６０）ときに、それぞれのキャリブレータレベルは再度２回１、１’測定される（１０）。
【００６１】
図３は、図１または図２に係る較正手順１００、１００’において不合格をどのように決定することができるかを示す例である。図３のグラフにおいて、２回測定された６つのキャリブレータレベル（各キャリブレーションポイント１−６について２回測定データ）に対応する６つのキャリブレーションポイント１−６の値（吸光度対濃度）がプロットされる。不合格が１つまたは複数の個々の不合格キャリブレーションポイント１−６に関連するかどうかを決定する工程４０は、各キャリブレーションポイント１−６または各キャリブレーションポイント１−６についての２回測定データ間の平均値の、適合多点キャリブレーション曲線８０からの偏差を比較することを含む。この場合、不合格は、キャリブレーションポイント６に関連すると決定される（５０）。
【００６２】
図４は、図２に係る較正手順１００’において不合格をどのように決定することができるかを示す別の例である。図４のグラフにおいて、２回測定された６つのキャリブレータレベルに対応する６つのキャリブレーションポイント１−６の値（吸光度対濃度）がプロットされる。適合多点キャリブレーション曲線８０もプロットされる。不合格が１つまたは複数の個々の不合格キャリブレーションポイント１−６に関連するかどうかを決定する工程４０は、各キャリブレーションポイント１−６それぞれの２回測定データを比較すること、およびそれらの値の差が所定の閾値を超えるかどうかを決定することを含む。この場合、不合格は、キャリブレーションポイント３に関連すると決定される（５０）。この例では、キャリブレーションポイント３についての２回測定データ間の平均値が、偶然にもキャリブレーション曲線８０に適合している。したがって、キャリブレーションポイント３についての平均値の、適合曲線からの偏差のみを決定するだけでは、キャリブレーションポイント３の不合格は、気付かれないままとなる。
【００６３】
図５は、図２に係る較正手順１００’において不合格をどのように決定することができるかを示す別の例である。図５のグラフにおいて、同じ多点較正手順１００’に属する複数のキャリブレーションポイントのうちの１つのキャリブレーションポイントについての２回測定データに関連する反応曲線９０、９０’が表示される（任意の単位、たとえば、吸光度対秒単位の反応時間）。特には、不合格が１つまたは複数の個々の不合格キャリブレーションポイントに関連するかどうかを決定する工程４０は、各キャリブレーションポイントそれぞれについての（この例では１つのキャリブレーションポイントについてのみの）２回測定データに関連する反応曲線９０、９０’を比較すること、反応曲線９０、９０’が互いに実質的に異なるかどうかを決定することを含む。この場合、キャリブレーションポイントの１つに関して、反応曲線９０、９０’が互いに実質的に異なると決定される（５０）。特には、１つの反応曲線９０が正常であって、すなわち基準パターンと同様のパターンを示し、その一方で、第２の反応曲線９０’が異常であって、すなわち基準パターンからずれる。このように、多点較正手順１００’の不合格が、この特定のキャリブレーションポイントの不合格に関連すると決定することができる。
【００６４】
図６は、図１に係る較正手順１００において不合格をどのように決定することができるかを示す別の例である。特には、図６は、不合格が１つまたは複数の個々の不合格キャリブレーションポイント１−ｎに関連するかどうかを決定する工程４０が、不合格キャリブレーションポイント１−ｎの不合格に関連し得る体外診断分析器の１つまたは複数の所定の操作パラメータ１−ｎを評価する工程４１を含むことを除いては、図１と同じである。この例では、操作パラメータ１−ｎの評価４１に基づいてキャリブレーションポイント１が不合格になったと決定される（５０）。
【００６５】
図７は、図２に係る較正手順１００’において不合格をどのように決定することができるかを示す別の例である。特には、図７は、不合格が１つまたは複数の個々の不合格キャリブレーションポイント１−ｎに関連するかどうかを決定する工程４０が、不合格キャリブレーションポイント１−ｎの不合格に関連し得る体外診断分析器の１つまたは複数の所定の操作パラメータ１−ｎを評価する工程４１を含むこと、および、各キャリブレーションポイント１−ｎの２回測定をそれぞれ実施することに関して、１つまたは複数の所定の操作パラメータ１−ｎを比較する工程４２を含むことを除いては、図２と同じである。この例では、操作パラメータ１−ｎの評価４１に基づいて、キャリブレーションポイント１の操作パラメータｎの値が、キャリブレーションポイント１’の操作パラメータｎの値と相違すると決定される（４２）ので、キャリブレーションポイント１が不合格になったと決定される（５０）。
【００６６】
図８は、図１の多点較正手順１００の別の変形例である多点較正手順１００’’を示す。図１との相違点のみが説明される。特には、多点較正手順１００’’は、繰り返されるべき、不合格の可能性のあるキャリブレーションポイント１−ｎを表示すること（５１）、および表示された、不合格の可能性のあるキャリブレーションポイント１のユーザの確認を、確認された不合格キャリブレーションポイント１についてのキャリブレータレベルの測定（１０）を繰り返す（６２）前に要求すること（６１）を含む。この例では、多点較正手順１００’’は、さらに、ユーザの確認のためのタイムリミットを設定すること（６３）、およびタイムリミットを超える場合、全多点較正手順１００’’の繰り返し（６４）をトリガーすることを含む。
【００６７】
図９は、図１の多点較正手順１００の別の変形例である多点較正手順１００’’’を示す。図１との相違点のみが説明される。特には、多点較正手順１００’’’の不合格が１つまたは複数の不合格キャリブレーションポイント１−ｎに関連することを自動的に決定することができない（５２）場合、多点較正手順１００’’’は、（１つまたは複数の）不合格キャリブレーションポイント１−ｎのユーザの選択を、選択された不合格キャリブレーションポイント１についてのキャリブレータレベルの測定（１０）を繰り返す（６６）前に要求すること（６５）を含む。この例では、多点較正手順１００’’’は、さらに、ユーザの選択のためのタイムリミットを設定すること（６７）、およびタイムリミットを超える場合、全多点較正手順１００’’’の繰り返し（６８）をトリガーすることを含む。
【００６８】
図１０は、図１の多点較正手順１００のさらなる実施形態を示す。特には、図１０は、後のユーザ検証を可能にするために、（１つまたは複数の）不合格キャリブレーションポイント１−ｎのためのみの手順の繰り返し（６０）が自動的にトリガーされる場合、多点較正手順１００が、多点較正手順１００の終了（７０）前に多点較正手順１００の再計算された較正結果２０’にフラグを立てること（７１）を含むことを除いては、図１と同じである。再計算された較正結果２０’にフラグを立てることは、繰り返されたキャリブレーションポイント１−ｎにフラグを立てること含んでいてもよい。同様の例が、図２の多点較正手順から開始して、実施され得る。
【００６９】
図１１は、多点較正手順の計算結果２０を表示することを含むユーザインタフェース２００の例である。図１２は、図１１の例の続きであり、同じ多点較正手順の再計算結果２０’を表示することを含む。図１１および図１２は、互いに直接比較する場合によりよく理解される。特には、図１１、図１２に関連する多点較正手順は、図２の多点較正手順１００’と図８の多点較正手順１００’’との組合せである。特には、図１１において、表示された計算結果２０は、表２１を含み、表２１は、別々の欄において、キャリブレーションポイント１−６それぞれに対応する６つのキャリブレータレベルのそれぞれについての対の測定データ２２、２３および対の測定データの平均値２４が報告される。表２１は、濃度に関連する、割り当てられた正規化値を有する欄２５をさらに含む。この例では、不合格（５０）がキャリブレーションポイント１に関連して示されていることが分かる。また、キャリブレーションポイント１に対して、測定データが示されていない。この場合において測定データが無い理由としては、キャリブレータの代わりに空気が吸引される原因となるピペット操作エラーの可能性がある。また、正規化値は、キャリブレーションポイント１−６のいずれにも割り当てられない。また、キャリブレーション曲線はプロットされない。この場合、多点較正手順が不合格であり、不合格がキャリブレーションポイント１の不合格に関連すると決定される（３０）。
【００７０】
方法は、（１つまたは複数の）不合格キャリブレーションポイントを選択および／または確認するための選択領域６１’、６２’を表示することをさらに含み、不合格キャリブレーションポイント１のみについて、キャリブレータレベルの測定の繰り返しを開始するための指示ボタン２８が含まれる。
【００７１】
図１２に戻ると、多点較正手順の再計算結果２０’が、不合格キャリブレーションポイント１のみの繰り返しの後に表示される。表２１において、測定データ２２、２３および平均値２４は、繰り返されたキャリブレーションポイント１のためにも表示され、他のキャリブレーションポイント２−６についての全ての他の測定データおよび平均値は、変更されないままである。特には、表２１の新しい欄２９には、それらが既に前に測定されていて、結果２０’を再計算するために引き継がれるということが時間スタンプとともに示される。また、正規化濃度値が、次に、欄２５内において全てのキャリブレーションポイント１−６に割り当てられ、キャリブレーションポイント１に対する値０％がブランクキャリブレータを表わす。また、秒（ｓ）単位の測定データ２２、２３および平均値２４が、％単位の、割り当てられた正規化濃度値２５に対してプロットされ、繰り返されたキャリブレーションポイント１を含む、全てのキャリブレーションポイントに適合するキャリブレーション曲線８０もプロットされる。この場合、多点較正手順の合格が決定される（３０）（多点較正手順が解除される）。
【００７２】
取消し解除ボタン８１もまた、再計算された結果２０’を拒否し、最終的に全多点較正手順を繰り返す機会を与えるために表示される。
【００７３】
これは単なる例示であって、計算結果２０および再計算結果２０’の表示は、相違するように見えてもよく、図１〜図１０の実施形態のいずれかおよびそれらの組合せを反映してもよいことが強調される。
【００７４】
一般的に、全ての開示された実施形態の修正および変形が、上記の記載に鑑みて確実に可能である。したがって、添付の特許請求の範囲内で、発明が、上記の例において具体的に案出されたもの以外の他の方法で実施されてもよいことが理解されるべきである。
【００７５】
上記の明細書中の「一実施形態」、「実施形態」、「一実施例」または「実施例」の言及は、実施形態または実施例に関連して記載された、特定の特徴、構造または特性が少なくとも１つの実施形態に含まれることを意味する。したがって、本明細書中の様々な場所において、「一実施形態において」、「実施形態において」、「一実施例」または「実施例」などの文言は、必ずしも全てが同じ実施形態または実施例をいうものではない。
【００７６】
さらに、特定の特徴、構造、または特性が、１つまたは複数の実施形態または実施例において、任意の適当な組合せおよび／または下位の組合せで組み合わされてもよい。
【図１】
2019074515.tif 000003
【図２】
2019074515.tif 000004
【図３】
2019074515.tif 000005
【図４】
2019074515.tif 000006
【図５】
2019074515.tif 000007
【図６】
2019074515.tif 000008
【図７】
2019074515.tif 000009
【図８】
2019074515.tif 000010
【図９】
2019074515.tif 000011
【図１０】
2019074515.tif 000012
【図１１】
2019074515.tif 000013
【図１２】
2019074515.tif 000014
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
コンピュータにより実施される、体外診断分析器を較正する方法であって、前記方法が、
複数のキャリブレータレベルを測定し（１０、１１、１２）、それによって複数のそれぞれのキャリブレーションポイント（１−ｎ）を得ることを含む多点較正手順（１００、１００’、１００’’、１００’’’）を実施すること、
前記多点較正手順（１００、１００’、１００’’、１００’’’）の結果を計算し（２０）、計算結果（２０）に基づいて前記多点較正手順（１００、１００’、１００’’、１００’’’）の不合格または合格を決定すること（３０）、
前記多点較正手順（１００、１００’、１００’’、１００’’’）が不合格の場合に、不合格が１つまたは複数の個々の不合格キャリブレーションポイント（１−ｎ）に関連するかどうかを決定し（４０）、肯定の場合（５０、５１）に、前記不合格キャリブレーションポイント（１、３、６）に関してのみキャリブレータレベルの測定（１０）の繰り返し（６０、６２、６６）をトリガーし、前記不合格キャリブレーションポイント（１、３、６）のみを新しく得られたキャリブレーションポイント（１、３、６）で置き換えた後に前記多点較正手順（１００、１００’、１００’’、１００’’’）の結果を再計算する（２０’）ことを含む、方法。
【請求項２】
前記多点較正手順（１００’）および／または前記キャリブレータレベルの測定（１０、１１、１２）の繰り返しが、各キャリブレーションポイント（１−ｎ）について１対の測定データ（１、１’、２、２’、ｎ、ｎ’、２２、２３）を得るために、各キャリブレーションポイント（１−ｎ）について、それぞれの前記キャリブレータレベルを２回測定すること（１０、１１、１２）を含む、請求項１記載の方法。
【請求項３】
不合格が１つまたは複数の個々の不合格キャリブレーションポイント（６）に関連するかどうかを決定すること（４０）が、各キャリブレーションポイント（１−６）または各キャリブレーションポイント（１−６）についての２回測定データ間の平均値の、適合多点キャリブレーション曲線（８０）からの偏差を比較することを含む、請求項１または２記載の方法。
【請求項４】
不合格が１つまたは複数の個々の不合格キャリブレーションポイント（３）に関連するかどうかを決定すること（４０）が、各キャリブレーションポイント（１−６）についての２回測定データをそれぞれ比較すること、およびそれらの値の差が所定の閾値を超えるかどうかを決定することを含む、請求項２または３記載の方法。
【請求項５】
不合格が１つまたは複数の個々の不合格キャリブレーションポイントに関連するかどうかを決定すること（４０）が、各キャリブレーションポイント（１−ｎ）についての２回測定データにそれぞれ関連する反応曲線（９０、９０’）を比較すること、および前記反応曲線が互いに実質的に異なっているかどうかを決定することを含む、請求項２〜４のいずれか１項に記載の方法。
【請求項６】
不合格が１つまたは複数の個々の不合格キャリブレーションポイント（１−ｎ）に関連するかどうかを決定すること（４０）が、前記不合格キャリブレーションポイント（１−ｎ）の不合格に関連し得る前記体外診断分析器の１つまたは複数の所定の操作パラメータ（１−ｎ）を評価することを含む、請求項１〜５のいずれか１項に記載の方法。
【請求項７】
前記方法が、各キャリブレーションポイント（１−ｎ）についての２回測定のそれぞれの実施に関連する前記１つまたは複数の所定の操作パラメータ（１−ｎ）を比較することを含む、請求項６記載の方法。
【請求項８】
前記不合格キャリブレーションポイント（１）のためのみの前記キャリブレータレベルの測定（１０）の繰り返し（６２）をトリガーすることが、繰り返されるべき、不合格の可能性のあるキャリブレーションポイントを表示すること（５１）、および表示されたキャリブレーションポイント（１）のユーザの確認を要求すること（６１）を含む、請求項１〜７のいずれか１項に記載の方法。
【請求項９】
前記多点較正手順（１００’’’）の不合格が、１つまたは複数の個々の不合格キャリブレーションポイント（１−ｎ）に関連することを自動的に決定することができない場合（５２）、前記方法は、前記不合格キャリブレーションポイント（１）のユーザの選択を要求すること（６５）、選択されたキャリブレーションポイント（１）に関してのみ前記キャリブレータレベルの測定（１０）の繰り返し（６６）をトリガーすること、および前記選択されたキャリブレーションポイント（１）のみを新しく得られたキャリブレーションポイント（１）で置き換えた後に前記多点較正手順（１００’’’）の結果を再計算すること（２０’）をさらに含む、請求項１〜８のいずれか１項に記載の方法。
【請求項１０】
ユーザの確認（６３）またはユーザの選択（６７）のためのタイムリミットを設定すること、および前記タイムリミット（６３、６７）を超えた場合、前記多点較正手順（１００’’’）の全体の繰り返し（６４、６８）をトリガーすることをさらに含む請求項８または９記載の方法。
【請求項１１】
前記不合格キャリブレーションポイント（１）のためのみの前記キャリブレータレベルの測定（１０）の繰り返し（６０）が、後のユーザ検証を可能にするために、自動的にトリガーされる場合、前記多点較正手順（１００）の再計算された較正結果（２０’）にフラグを立てること（７１）をさらに含む請求項１〜１０のいずれか１項に記載の方法。
【請求項１２】
前記多点較正手順（１００、１００’、１００’’、１００’’’）の計算結果（２０）、および／または前記不合格キャリブレーションポイント（１）のみを置き換えた後の、前記多点較正手順（１００、１００’、１００’’、１００’’’）の再計算結果（２０’）を表示することをさらに含む請求項１〜１１のいずれか１項に記載の方法。
【請求項１３】
前記計算結果（２０）および前記再計算結果（２０’）を直接比較することをさらに含む請求項１２記載の方法。
【請求項１４】
表示することが、各キャリブレーションポイント（１−６）についての２回測定データ（２２、２３）をリスト化および／またはプロットすることを含む、請求項１２または１３記載の方法。
【請求項１５】
表示することが、不合格の、もしくは不合格の可能性のあるキャリブレーションポイント（１）、および／または繰り返されたキャリブレーションポイント（１）を表示すること（５０）を含む、請求項１２〜１４のいずれか１項に記載の方法。
【請求項１６】
表示することが、不合格キャリブレーションポイント（１）を選択および／または確認するための選択領域（６１’、６２’）を表示することを含む、請求項１２〜１５のいずれか１項に記載の方法。
【外国語明細書】
2019074515000001.pdf
2019074515000002.pdf
2019074515000003.pdf
2019074515000004.pdf